(57)【要約】【課題】装置の大型化やコストの上昇を招くことなく、ＩＤ番号を表記し得る表示装置を得る。【解決手段】ＩＤ番号は「１２３」であり、ＴＦＴ４ｘ（「１」の表示位置に対応するＴＦＴ４21，４31，４41，４51，４61、「２」の表示位置に対応するＴＦＴ４23〜４25，４35，４44，４53，４63〜４65、及び「３」の表示位置に対応するＴＦＴ４26〜４28，４38，４46〜４48，４58，４66〜４68）の各電流駆動能力が、他のＴＦＴ４ｙの電流駆動能力よりも低く設定されている。ＩＤ表示モードでは、ＴＦＴ４ｘ，４ｙのうちのＴＦＴ４ｙのみが駆動される条件でＴＦＴ４を駆動することにより、ＩＤ番号が表示画面に表示される。【選択図】図４
2007017843.tif 000002
【特許請求の範囲】
【請求項１】
マトリクス状に配設された複数の薄膜トランジスタを有する表示画面を備え、
前記複数の薄膜トランジスタのうちの所定の薄膜トランジスタのトランジスタ特性は、他の薄膜トランジスタのトランジスタ特性と異なり、
前記所定の薄膜トランジスタ及び前記他の薄膜トランジスタのうちの一方のみが駆動される条件で前記複数の薄膜トランジスタが駆動されることにより、製品固有の情報が前記表示画面に表示される、表示装置。
【請求項２】
表示画面を有する表示パネルと、
前記表示パネルを駆動する駆動回路と、
製品ごとに個別の電位パターンに設定された複数の端子と、
電位パターンと製品固有の情報との対応関係に関するデータが記憶された記憶部と
を備え、
前記複数の端子の前記電位パターンに対応する製品固有の情報が前記記憶部から読み出されて、前記表示画面に表示される、表示装置。
【発明の詳細な説明】
【技術分野】
【０００１】
本発明は、表示装置に関し、特に、マトリクス状に配設された複数の薄膜トランジスタ（Thin Film Transistor：ＴＦＴ）を有する表示画面を備える液晶表示装置（Liquid Crystal Display：ＬＣＤ）に関する。
【背景技術】
【０００２】
製品に不具合が生じた場合、その製品の製造日や製造装置等の製品履歴を解析して不良原因を特定すべく、製品固有の情報（以下「ＩＤ番号」と称す）が用いられる。特に、１枚のマザー基板から複数個のＴＦＴ−ＬＣＤパネルが生産される方式においては、マザー基板内のどの位置のパネルに不良が生じたのかを特定することは、生産品質を管理する上で重要である。従って、マザー基板内のパネルの位置を示す情報が、ＩＤ番号内に含まれることがある。従来のＩＤ番号の表記方法としては、レーザマーキングやスタンプ等によってＩＤ番号を製品へ直接印字したり、ＩＤ番号が付されたラベルを製品に貼り付ける等の方法が用いられていた。しかし、近年、携帯電話、ディジタルスチルカメラ、ディジタルビデオカメラ等の小型のモバイル機器にＬＣＤが搭載されることが多くなったため、直接印字やラベル貼付等の従来の方法によって製品へＩＤ番号を表記することが困難となってきた。
【０００３】
ＬＣＤパネル内の表示領域とは異なる箇所に識別情報格納部を配設し、識別情報格納部内に格納されている識別情報を特定の駆動条件で表示領域に表示させる液晶表示装置が、下記特許文献１に開示されている。
【０００４】
また、製品情報を専用の無線タグに格納する液晶表示装置が、下記特許文献２に開示されている。
【０００５】
【特許文献１】特開平１１−２３１２８０号公報
【特許文献２】特開２００４−２５８５５９号公報
【発明の開示】
【発明が解決しようとする課題】
【０００６】
しかしながら、上記特許文献１に開示された液晶表示装置によると、ＬＣＤパネル内の表示領域とは異なる箇所に識別情報格納部を配設するための領域を確保する必要があるため、全体としてＬＣＤパネルが大型化する。また、静電気等によって駆動回路が故障した場合には、識別情報格納部内に格納されている識別情報を表示領域に表示させることができない。
【０００７】
また、上記特許文献２に開示された液晶表示装置によると、専用の無線タグを使用するため、コストの上昇を招く。
【０００８】
本発明はかかる問題を解決するために成されたものであり、装置の大型化やコストの上昇を招くことなく、ＩＤ番号を表記し得る表示装置を得ることを目的とする。
【課題を解決するための手段】
【０００９】
第１の発明に係る表示装置は、マトリクス状に配設された複数の薄膜トランジスタを有する表示画面を備え、前記複数の薄膜トランジスタのうちの所定の薄膜トランジスタのトランジスタ特性は、他の薄膜トランジスタのトランジスタ特性と異なり、前記所定の薄膜トランジスタ及び前記他の薄膜トランジスタのうちの一方のみが駆動される条件で前記複数の薄膜トランジスタが駆動されることにより、製品固有の情報が前記表示画面に表示される。
【００１０】
第２の発明に係る表示装置は、表示画面を有する表示パネルと、前記表示パネルを駆動する駆動回路と、製品ごとに個別の電位パターンに設定された複数の端子と、電位パターンと製品固有の情報との対応関係に関するデータが記憶された記憶部とを備え、前記複数の端子の前記電位パターンに対応する製品固有の情報が前記記憶部から読み出されて、前記表示画面に表示される。
【発明の効果】
【００１１】
第１及び第２の各発明に係る表示装置によれば、装置の大型化やコストの上昇を抑えながら、製品固有の情報を表示画面に表示することができる。
【発明を実施するための最良の形態】
【００１２】
実施の形態１．
図１は、フラットパネルディスプレイとして使用される小型ＴＦＴ−ＬＣＤ装置のパネル部の外形を概略的に示す図である。液晶パネル１は、共通電極基板１０１とアレイ基板１０３とによって液晶層１０２が挟み込まれた構造を有しており、所定の広さの表示領域１００を備えている。アレイ基板１０３は、ＴＦＴ及び配線がガラス基板上に所定のパターンで形成されたものである。共通電極基板１０１は、共通電極がガラス基板上に所定のパターンで形成されたものである。
【００１３】
駆動回路４３は、装置の軽量化、小型化、及び薄型化に対応すべく、制御回路、ゲートドライバＩＣ、及びソースドライバＩＣ等がＩＣチップ化されたものであり、アレイ基板１０３上に直接実装されている。実装されている駆動回路４３を取り外して、新たな駆動回路４３に交換することも可能である。ＴＦＴ−ＬＣＤ装置への入力電圧及び入力信号は、ＦＰＣ（フレキシブルプリント基板）４４上に実装された入力コネクタ４５を介して、駆動回路４３に供給される。ＦＰＣ４４上には、コンデンサ等の電子部品が実装されている。
【００１４】
図２は、図１に示したＴＦＴ−ＬＣＤ装置の内部構成を示すブロック図である。液晶パネル１は、Ｘ軸方向（行方向）に沿って延在する複数本（図２に示した例ではｎ本）のゲート線２1，２2，・・・，２nと、Ｙ軸方向（列方向）に沿って延在する複数本（図２に示した例ではｍ本）のソース線３1，３2，・・・，３mとを有している。ゲート線２1，２2，・・・，２nとソース線３1，３2，・・・，３mとの各交点に対応して、アモルファスシリコン（ａ−Ｓｉ）を用いて形成されたＴＦＴ４（４11，４12，・・・，４1m，４21，４22，・・・，４2m，４n1，４n2，・・・，４nm）が配設されており、各ＴＦＴ４に対応して画素が設けられている。つまり、液晶パネル１の表示画面は、マトリクス状に配設された複数のＴＦＴ４及び複数の画素を有している。各画素は、共通電極８（図１の共通電極基板１０１に相当）と各画素の画素電極６（６11，６12，・・・，６1m，６21，６22，・・・，６2m，６n1，６n2，・・・，６nm）とによって挟まれた液晶層９（図１の液晶層１０２に相当）と、保持容量１３とを有している。
【００１５】
ＴＦＴ４のゲート電極は、対応するゲート線２1，２2，・・・，２nに接続されており、ソース電極は、対応するソース線３1，３2，・・・，３mに接続されており、ドレイン電極は、対応する画素電極６に接続されている。例えば、ＴＦＴ４22のゲート電極はゲート線２2に、ソース電極はソース線３2に、ドレイン電極は画素電極６22に、それぞれ接続されている。
【００１６】
ゲート線２1，２2，・・・，２nはゲートドライバＩＣ１４に接続されており、ソース線３1，３2，・・・，３mはソースドライバＩＣ１５に接続されている。ゲートドライバＩＣ１４及びソースドライバＩＣ１５は、タイミングを制御するタイミングコントローラ（ＴＣＯＮ）１６によって制御される。ＴＣＯＮ１６には、外部に接続されたコンピュータ等から画像データを含む入力信号が入力されている。
【００１７】
図３は、図２に示したＴＦＴ−ＬＣＤ装置の動作波形を示すタイミングチャートである。ソースドライバＩＣ１５には、液晶駆動電圧生成回路１７から液晶駆動電圧（Ｖｒｅｆ）が供給されている。ソースドライバＩＣ１５は、ＴＣＯＮ１６から入力されたゲート線２1に関するＤＡＴＡを、サンプリングＣＬＫに従ってサンプリングして保持する。
【００１８】
ゲート線２1に関するＤＡＴＡがソースドライバＩＣ１５によって保持された後、ゲートドライバＩＣは、ＴＣＯＮ１６から入力されたシフト開始信号とシフトＣＬＫとに基づいて、ゲート線２1を駆動する。これにより、ゲート線２1に接続されている全てのＴＦＴ４11，４12，・・・，４1mがオンされる。
【００１９】
その直後、ソースドライバＩＣ１５によって全てのソース線３1，３2，・・・，３mが駆動される。これにより、保持しているＤＡＴＡが変換された液晶駆動電圧が、ＴＦＴ４11，４12，・・・，４1mの各ソース電極及び各ドレイン電極を介して画素電極６11，６12，・・・，６1mにそれぞれ供給され、各画素の液晶層９及び保持容量１３にその電圧が蓄積される。
【００２０】
また、ソースドライバＩＣ１５は、ＴＣＯＮ１６の制御によって、次のゲート線２2に関するＤＡＴＡのサンプリングを開始する。
【００２１】
以上の動作が繰り返されることにより、外部のコンピュータ等から入力された入力信号に基づいて、液晶パネル１の表示画面への画像の表示が行われる。
【００２２】
図４は、本発明の実施の形態１に係るＴＦＴ−ＬＣＤ装置において、表示画面の一部からＴＦＴ４のみを抜き出して模式的に示す図である。図４には、マトリクス状に配設された合計５６個のＴＦＴ４11〜４18，４21〜４28，４31〜４38，４41〜４48，４51〜４58，４61〜４68，４71〜４78が示されている。本実施の形態１に係るＴＦＴ−ＬＣＤ装置では、ＩＤ番号を表示画面に表示させる際にＩＤ番号に対応する位置に配設されているＴＦＴ４の電流駆動能力が、ＩＤ番号に対応しない位置に配設されている他のＴＦＴ４の電流駆動能力よりも低く設定されている。図４に示した例では、ＩＤ番号が「１２３」であり、「１」の表示位置に対応するＴＦＴ４21，４31，４41，４51，４61、「２」の表示位置に対応するＴＦＴ４23〜４25，４35，４44，４53，４63〜４65、及び「３」の表示位置に対応するＴＦＴ４26〜４28，４38，４46〜４48，４58，４66〜４68の各電流駆動能力が、他のＴＦＴ４の電流駆動能力よりも低く設定されている。電流駆動能力を低くするためには、例えば、ＴＦＴ４のチャネル幅を狭くしたり、チャネル長を長くする。各液晶パネルごとにパターンが異なる大型マスクを使用して、マザー基板全体をこの大型マスクを用いて一括露光することにより、各液晶パネルごとにトランジスタ特性を異ならせることが可能である。
【００２３】
図５は、ＴＦＴ４のゲート電圧（Ｖｇ）−ドレイン電流（Ｉｄ）特性を示すグラフである。特性Ｋ１は、ＩＤ番号に対応する位置に配設されているＴＦＴ４（以下「ＴＦＴ４ｘ」と称す）の特性であり、特性Ｋ２は、ＩＤ番号に対応しない位置に配設されているＴＦＴ４（以下「ＴＦＴ４ｙ」と称す）の特性である。また、電流値Ｉthは、表示を行うために画素電極６への供給が必要なドレイン電流の下限値である。
【００２４】
外部からの入力信号に基づいて画像を表示するモード（以下「通常表示モード」と称す）では、ゲート電圧Ｖｇｈ２をオン電圧として用いてＴＦＴ４の駆動を行う。ゲート電圧Ｖｇｈ２が印加された場合のＴＦＴ４ｘ，４ｙのドレイン電流は、いずれも電流値Ｉthを超えるため、表示画面への画像の表示を問題なく行うことができる。
【００２５】
一方、ＩＤ番号を表示するモード（以下「ＩＤ表示モード」と称す）では、ゲート電圧Ｖｇｈ２よりも低いゲート電圧Ｖｇｈ１をオン電圧として用いて、ＴＦＴ４の駆動を行う。ゲート電圧Ｖｇｈ１が印加された場合、ＴＦＴ４ｙのドレイン電流は電流値Ｉthを超えるが、ＴＦＴ４ｘのドレイン電流は電流値Ｉthを超えない。従って、ＴＦＴ４ｙに接続されている画素電極６には十分なドレイン電流が供給されるが、ＴＦＴ４ｘに接続されている画素電極６には十分なドレイン電流が供給されない。その結果、画素電極６の電圧が低いほど明るく表示されるノーマリホワイトの液晶が使用されている場合は、ＴＦＴ４ｘに対応する画素はＴＦＴ４ｙに対応する画素よりも明るく表示されるため、表示画面にＩＤ番号が表示されることになる。つまり、ＩＤ表示モードでは、ＴＦＴ４ｘ，４ｙのうちのＴＦＴ４ｙのみが駆動される条件でＴＦＴ４が駆動されることにより、ＩＤ番号が表示画面に表示される。
【００２６】
なお、画素電極６の電圧が高いほど明るく表示されるノーマリブラックの液晶が使用されている場合は、上記の例とは逆に、ＴＦＴ４ｘの電流駆動能力をＴＦＴ４ｙのそれよりも高くし、ＩＤ表示モードではＴＦＴ４ｘのみを駆動することにより、表示画面にＩＤ番号を表示することができる。
【００２７】
また、以上の説明では、２種類のオン電圧を使い分ける例について述べたが、２種類のオフ電圧を使い分けることにより、ＩＤ表示モードでＴＦＴ４ｘ，４ｙのうちの一方のみを駆動してもよい。
【００２８】
このように本実施の形態１に係るＴＦＴ−ＬＣＤ装置によると、ＩＤ番号に対応する位置に配設されているＴＦＴ４ｘの電流駆動能力が、ＩＤ番号に対応しない位置に配設されているＴＦＴ４ｙの電流駆動能力よりも低く設定されている。そして、ＩＤ表示モードでは、ＴＦＴ４ｘ，４ｙのうちのＴＦＴ４ｙのみが駆動される条件でＴＦＴ４を駆動することにより、ＩＤ番号が表示画面に表示される。従って、上記特許文献１に開示された液晶表示装置とは異なり、液晶パネル１内の表示領域とは異なる箇所に識別情報格納部を配設する必要がないため、全体として液晶パネル１が大型化することを回避できる。静電気等によって駆動回路４３が故障した場合には、駆動回路４３を交換することにより、表示画面にＩＤ番号を表示させることができる。さらに、専用の無線タグを必要としないため、比較的安価に実施できる。
【００２９】
実施の形態２．
図６は、本発明の実施の形態２に係るＴＦＴ−ＬＣＤ装置の一部の構成を示すブロック図である。液晶パネル１を駆動する駆動回路４３は、後述するＩＤテーブルが記憶された不揮発性の記憶部４７を備えている。
【００３０】
図７は、駆動回路４３の端子を示す図である。端子３０には、液晶パネル１に対応した個別の電位パターンがアレイ基板１０３から入力される。端子３１には、入力信号及び入力電圧等が外部から入力される。端子３２には、通常表示モードとＩＤ表示モードとを切り替えるためのＭＣＳ信号が外部から入力される。端子３３は、アレイ基板１０３に接続される。
【００３１】
図２，６，７を参照して、通常表示モードでは、ソースドライバＩＣ１５は、外部から端子３１を介して入力された入力信号に基づいてソース線３1，３2，・・・，３mを駆動する。これにより、通常の画像表示が行われる。
【００３２】
図８，９は、液晶パネル１のアレイ基板１０３上に設けられている端子３０Ｐの構造を示す図である。アレイ基板１０３に駆動回路４３を直接実装することにより、図７の端子３０と図８，９の端子３０Ｐとが互いに接続される。端子３０Ｐは、複数個（図８，９に示した例では８個）の端子３０ａ〜３０ｈを有している。各端子３０ａ〜３０ｈは、図７に示した８個の端子３０のそれぞれに対応している。
【００３３】
図８を参照して、ロジック電源の電源電位ＶＤＤＤと各端子３０ａ〜３０ｈとの間には、配線５０（５０ａ〜５０ｈ）が形成されており、接地電位ＧＮＤと各端子３０ａ〜３０ｈとの間には、配線５１（５１ａ〜５１ｈ）が形成されている。そして、各端子３０ａ〜３０ｈごとに配線５０，５１の一方がレーザ等によって切断されている。図８に示した例では、配線５０ａ，５１ｂ，５１ｃ，５０ｄ，５０ｅ，５１ｆ，５１ｇ，５１ｈが切断されている。これにより、端子３０ａをＭＳＢ、端子３０ｈをＬＳＢ、電源電位ＶＤＤＤを２進数の「１」、接地電位ＧＮＤを２進数の「０」とすると、端子３０Ｐにはディジタルデータ「０１１００１１０」に対応する電位パターンが設定されていることとなる。
【００３４】
なお、レーザによる切断の代わりに、ヒューズ素子を用い、パターン形成後にＩＤ番号に応じて所定のヒューズ素子を切断することによって、各端子３０ａ〜３０ｈの電位を設定することもできる。
【００３５】
図９を参照して、各端子３０ａ〜３０ｈには、電源電位ＶＤＤＤに接続された配線５２、及び接地電位ＧＮＤに接続された配線５３のいずれか一方が接続されている。図９に示した例では、端子３０ｂ，３０ｃ，３０ｆ，３０ｇにはそれぞれ配線５２ｂ，５２ｃ，５２ｆ，５２ｇが接続されており、端子３０ａ，３０ｄ，３０ｅ，３０ｈにはそれぞれ配線５３ａ，５３ｄ，５３ｅ，５３ｈが接続されている。これにより、端子３０ａをＭＳＢ、端子３０ｈをＬＳＢ、電源電位ＶＤＤＤを２進数の「１」、接地電位ＧＮＤを２進数の「０」とすると、端子３０Ｐにはディジタルデータ「０１１００１１０」に対応する電位パターンが設定されていることとなる。
【００３６】
図１０は、図６に示した記憶部４７に記憶されているＩＤテーブルの一部を示す図である。ＩＤテーブルには、８ビットのディジタルデータと、ＩＤ番号との対応関係が記述されている。ＩＤ番号は、マザー基板の識別情報であるシートＩＤ（Ａ〜Ｄ）と、マザー基板内のパネルの識別情報であるパネルＩＤ（１１〜１８，２１〜２８，・・・，８１〜８８）とから構成されている。例えば、８ビットのディジタルデータが「００００１０１１」（１０進数で「１１」）である場合のＩＤ番号は、シートＩＤ「Ａ」とパネルＩＤ「２４」とから構成される「Ａ２４」である。
【００３７】
切替信号ＭＣＳが端子３２に入力されているＩＤ表示モードでは、端子３０Ｐに設定されているディジタルデータが端子３０を介してＴＣＯＮ１６に入力され、ＴＣＯＮ１６は、記憶部４７に記憶されているＩＤテーブルを参照して、端子３０を介して入力したディジタルデータに対応するＩＤ番号を、記憶部４７から読み出す。そして、液晶パネル１の表示画面には、記憶部４７から読み出されたＩＤ番号が表示される。本実施の形態２においても、駆動回路４３が故障した場合、駆動回路４３を交換することにより、液晶パネル１にＩＤ番号を表示させることができる。
【００３８】
図１１は、実施の形態１及び２に係るＴＦＴ−ＬＣＤ装置の製造工程の一工程を示す模式図である。繰り返し露光されるステッパを用いて、１枚のマザー基板から複数個の液晶パネル１が製造される。ステッパを用いる場合、各液晶パネル１には同一のパターンが露光されるので、その後、電位パターンを個別に液晶パネル１に形成する。小型マスクを使用して繰り返し露光を行うステッパ方式でのパターン形成の場合、個別の液晶パネル１ごとにトランジスタ特性を変更させることが困難であるが、本実施の形態２によればこの点を克服できる。
【００３９】
図８に示したような端子３０Ｐを形成する場合には、端子３０ａ〜３０ｈ及び配線５０ａ〜５０ｈ，５１ａ〜５１ｈをステッパによる繰り返し露光によって形成した後、各液晶パネル１ごとに、ＩＤ番号に応じて任意の配線５０，５１をレーザ等によって切断する。
【００４０】
また、図９に示したような端子３０Ｐを形成する場合には、端子３０ａ〜３０ｈをステッパによる繰り返し露光によって形成した後、一又は複数の液晶パネル１ごとの個別の露光、又はマザー基板全体を対象とした一括露光（マスクパターンは各液晶パネル１ごとに異なる）によって、各液晶パネル１ごとにＩＤ番号に応じて任意の配線５２，５３を形成する。
【００４１】
なお、ステッパを用いない場合には、一又は複数の液晶パネル１ごとの個別の露光、又は図１２に示すようなマザー基板全体を対象とした一括露光によって、図８に示した端子３０ａ〜３０ｈ及び配線５０，５１を形成することが可能である。同様に、ステッパを用いない場合には、一又は複数の液晶パネル１ごとの個別の露光、又はマザー基板全体を対象とした一括露光（マスクパターンは各液晶パネル１ごとに異なる）によって、図９に示した端子３０ａ〜３０ｈ及び配線５２，５３を形成することが可能である。
【００４２】
また、以上の説明では、８個の端子３０ａ〜３０ｈを用いて８ビットのディジタルデータを端子３０に設定する例について述べたが、さらに多数の端子を用いることにより、ＩＤ番号の情報量を増やすことができるのは、言うまでもない。
【００４３】
さらに、実施の形態１と実施の形態２とを組み合わせることにより、より多くの製造情報を表示させることが可能となる。例えば、マザー基板上の位置情報を実施の形態１で実現させ、シートの区別や装置履歴等を駆動回路４３のＩＤテーブルにて対応することにより、ＩＤテーブルの容量を大きくすることなく、より多くの製造情報を表示させることができる。
【００４４】
このように本実施の形態２に係るＴＦＴ−ＬＣＤ装置によると、駆動回路４３の記憶部４７にはＩＤテーブルが記憶されており、端子３０Ｐは製品ごとに個別の電位パターンに設定されている。そして、ＩＤ表示モードでは、ＩＤテーブルを参照することにより、端子３０Ｐに設定されている電位パターンに応じたＩＤ番号が記憶部４７から読み出されて、そのＩＤ番号が液晶パネル１の表示画面に表示される。従って、上記特許文献１に開示された液晶表示装置とは異なり、液晶パネル１内の表示領域とは異なる箇所に識別情報格納部を配設する必要がないため、全体として液晶パネル１が大型化することを回避できる。また、上記特許文献２に開示された液晶表示装置とは異なり、専用の無線タグを必要としないため、比較的安価に実施できる。
【図面の簡単な説明】
【００４５】
【図１】ＴＦＴ−ＬＣＤ装置のパネル部の外形を概略的に示す図である。
【図２】図１に示したＴＦＴ−ＬＣＤ装置の内部構成を示すブロック図である。
【図３】図２に示したＴＦＴ−ＬＣＤ装置の動作波形を示すタイミングチャートである。
【図４】本発明の実施の形態１に係るＴＦＴ−ＬＣＤ装置において、表示画面の一部からＴＦＴのみを抜き出して模式的に示す図である。
【図５】ＴＦＴのゲート電圧−ドレイン電流特性を示すグラフである。
【図６】本発明の実施の形態２に係るＴＦＴ−ＬＣＤ装置の一部の構成を示すブロック図である。
【図７】図６に示した駆動回路の端子構成を示す上面図である。
【図８】液晶パネルのアレイ基板上に設けられている端子の構成を模式的に示す図である。
【図９】液晶パネルのアレイ基板上に設けられている端子の構成を模式的に示す図である。
【図１０】図６に示した記憶部に記憶されているＩＤテーブルの一部を示す図である。
【図１１】本発明の実施の形態１，２に係るＴＦＴ−ＬＣＤ装置の製造工程の一工程を示す模式図である。
【図１２】本発明の実施の形態１，２に係るＴＦＴ−ＬＣＤ装置の製造工程の一工程を示す模式図である。
【符号の説明】
【００４６】
１  液晶パネル、４  ＴＦＴ、３０Ｐ，３０ａ〜３０ｈ  端子、４３  駆動回路、４７  記憶部。
【図１】
2007017843.tif 000003
【図２】
2007017843.tif 000004
【図３】
2007017843.tif 000005
【図４】
2007017843.tif 000006
【図５】
2007017843.tif 000007
【図６】
2007017843.tif 000008
【図７】
2007017843.tif 000009
【図８】
2007017843.tif 000010
【図９】
2007017843.tif 000011
【図１０】
2007017843.tif 000012
【図１１】
2007017843.tif 000013
【図１２】
2007017843.tif 000014